(57)【要約】      （修正有）【課題】高価でなく適用が容易な使い捨てライナーシステムを有するペイントトレーを提供する。【解決手段】ペイントトレーは、ペイントトレー基部４０と、ペイントトレー基部４０の内部表面の最上部にペイントトレーライナーを位置付けるようペイントトレー基部４０と協働して係合するライナー保持フレーム２０を備え、ペイントトレー基部４０は、壁の外部表面から周辺に伸びるバンパー５０を有し、ライナー保持フレーム２０は、ペイントトレー基部４０にスライドして適合してバンパー５０に係合するように寸法決めされる。【選択図】図１
2017213685.tif 000002
【特許請求の範囲】
【請求項１】
ペイントトレー基部に受け入れられる塗料を包含しかつ分配するための内部表面を規定するフロアと一対の対向する側壁と一対の対向する終端壁を有するペイントトレー基部であって、前記壁の外部表面からペイントトレー基部の周辺の周りに伸びるバンパーを有するペイントトレー基部と、
それらの間の適切な位置にペイントトレーライナーを安全に固定するためにペイントトレー基部とスライドして係合するように寸法決めされる一対の対向する終端壁と一対の対向する側壁を有するライナー保持フレームであって、前記ペイントトレーライナーは前記ペイントトレー基部の内部表面を覆うように適切な位置に保持されるライナー保持フレーム
を備えている、使い捨てライナーシステムを有するペイントトレー。
【請求項２】
内部フロア表面が、前記終端壁のうちの一つから伸びて対向する終端壁における塗料貯蔵部において終結する、リッジを有して（ridged）傾斜している部分を備えている、請求項１に記載の使い捨てライナーシステムを有するペイントトレー。
【請求項３】
前記ライナー保持フレームがペイントトレー基部の最上部上に適合するように寸法決めされ、前記ライナー保持フレームの壁が、それらの間の適切な位置にペイントトレーライナーを安全に固定するために前記ペイントトレー基部の対応する壁の最上端を受け入れるための溝を形成するために、最上端において接続される内側の壁と外側の壁を含む、請求項１に記載の使い捨てライナーシステムを有するペイントトレー。
【請求項４】
前記ライナー保持フレームが前記ペイントトレー基部の前記バンパーの最上部を越えて（overtop）スライドして適合するように寸法決めされ、前記ライナー保持フレームの前記バンパーとの係合がそれらの間に前記ペイントトレーライナーを安全に固定する、請求項１に記載の使い捨てライナーシステムを有するペイントトレー。
【請求項５】
前記ペイントトレーライナーが前記ペイントトレー基部と前記ライナー保持フレームの間の適切な位置に保持されることを可能にするように、前記ペイントトレー基部の内部表面を覆い前記ペイントトレー基部の壁を越えて伸びるように寸法決めされるペイントトレーライナーをさらに備えている、請求項１に記載の使い捨てライナーシステムを有するペイントトレー。
【請求項６】
前記ペイントトレーライナーが塗料に対して実質的に不浸透性（impervious）である柔軟なシートである、請求項５に記載の使い捨てライナーシステムを有するペイントトレー。
【請求項７】
前記ペイントトレーライナーが高分子材料から作られている、請求項６に記載の使い捨てライナーシステムを有するペイントトレー。
【請求項８】
前記ペイントトレーライナーが二枚重ねのシートである、請求項６に記載の使い捨てライナーシステムを有するペイントトレー。
【請求項９】
前記ペイントトレーライナーが生分解性又は堆肥化可能である（compostable）、請求項６に記載の使い捨てライナーシステムを有するペイントトレー。
【請求項１０】
前記ペイントトレー基部とカバー保持フレームの間の適切な位置にペイントトレーカバーを安全に固定するために、前記ペイントトレー基部とスライドして係合して前記ライナー保持フレームより上に安全に位置付けられるように寸法決めされる、一対の対向する終端壁と一対の対向する側壁を有するカバー保持フレームをさらに備えている、請求項１に記載の使い捨てライナーシステムを有するペイントトレー。
【請求項１１】
前記ライナー保持フレームが前記ペイントトレー基部の前記バンパーの最上部を越えてスライドして適合するように寸法決めされ、前記ライナー保持フレームの前記バンパーとの係合がペイントトレーライナーをそれらの間の適切な位置に安全に固定し、前記カバー保持フレームは前記ライナー保持フレームより上において前記ペイントトレー基部の最上部上に適合するように寸法決めされ、前記ライナー保持フレームの壁はペイントトレーカバーをそれらの間の適切な位置に安全に固定するために前記ペイントトレー基部の対応する壁の最上端を受け入れるための溝を形成するために最上端において接続される内側の壁と外側の壁を含む、請求項１０に記載の使い捨てライナーシステムを有するペイントトレー。
【請求項１２】
前記ペイントトレーライナーが前記ペイントトレー基部と前記ライナー保持フレームの間の適切な位置に保持されることを可能にするように、前記ペイントトレー基部の内部表面を覆い前記ペイントトレー基部の壁を越えて伸びるように寸法決めされるペイントトレーライナーと、
前記ペイントトレーカバーが前記ペイントトレー基部と前記カバー保持フレームの間の適切な位置に保持されることを可能にするように、前記ペイントトレー基部とこれに係合されるライナー保持フレームを覆うように寸法決めされるペイントトレーカバー
をさらに備えている、請求項１０に記載の使い捨てライナーシステムを有するペイントトレー。
【請求項１３】
ペイントトレー基部に受け入れられる塗料を包含しかつ分配するための内部表面を規定するフロアと一対の対向する側壁と一対の対向する終端壁を有するペイントトレー基部であって、前記壁の外部表面から前記ペイントトレー基部の周辺の周りに伸びるバンパーを有するペイントトレー基部と、
ペイントトレー基部上にスライドして適合して前記バンパーに係合するように寸法決めされる一対の対向する終端壁と一対の対向する側壁を有するライナー保持フレームであって、前記ライナー保持フレームの前記バンパーとの係合はそれらの間の適切な位置にペイントトレーライナーを安全に固定し、前記ペイントトレーライナーは前記ペイントトレー基部の内部表面を覆うために適切な位置に保持される、ライナー保持フレーム
を備えている、使い捨てライナーシステムを有するペイントトレー。
【請求項１４】
前記ペイントトレーライナーが前記ペイントトレー基部と前記ライナー保持フレームの間の適切な位置に保持されることを可能にするように、前記ペイントトレー基部の内部表面を覆い前記ペイントトレー基部の壁を越えて伸びるように寸法決めされるペイントトレーライナーをさらに備えている、請求項１３に記載の使い捨てライナーシステムを有するペイントトレー。
【請求項１５】
前記ペイントトレーライナーが塗料に対して実質的に不浸透性である柔軟なシートである、請求項１４に記載の使い捨てライナーシステムを有するペイントトレー。
【請求項１６】
前記ペイントトレーライナーが二枚重ねのシートである、請求項１５に記載の使い捨てライナーシステムを有するペイントトレー。
【請求項１７】
前記ペイントトレーライナーが生分解性又は堆肥化可能である、請求項１４に記載の使い捨てライナーシステムを有するペイントトレー。
【請求項１８】
一対の対向する側壁と一対の対向する終端壁を有して前記ライナー保持フレームより上において前記ペイントトレー基部の最上部上に適合するように寸法決めされるカバー保持フレームをさらに備えており、前記カバー保持フレームの壁が前記ペイントトレーカバーをそれらの間の適切な位置に安全に固定するためにペイントトレー基部の対応する壁の最上端を受け入れるための溝を形成するために最上端において接続される内側の壁と外側の壁を含む、請求項１３に記載の使い捨てライナーシステムを有するペイントトレー。
【請求項１９】
ペイントトレーカバーが前記ペイントトレー基部と前記カバー保持フレームの間の適切な位置に保持されることを可能にするように、前記ペイントトレー基部とこれに係合されるライナー保持フレームを覆うように寸法決めされる、実質的に密閉した（airtight）柔軟なシートであるペイントトレーカバーをさらに備えている、請求項１８に記載の使い捨てライナーシステムを有するペイントトレー。
【請求項２０】
ペイントトレー基部に受け入れられる塗料を包含しかつ分配するための内部表面を規定するフロアと一対の対向する側壁と一対の対向する終端壁を有するペイントトレー基部であって、前記壁の外部表面から前記ペイントトレー基部の周辺の周りに伸びるバンパーを有するペイントトレー基部と、
ペイントトレー基部上にスライドして適合して前記バンパーに係合するように寸法決めされる一対の対向する終端壁と一対の対向する側壁を有するライナー保持フレームであって、前記ライナー保持フレームの前記バンパーとの係合はそれらの間の適切な位置にペイントトレーライナーを安全に固定するライナー保持フレームと、
一対の対向する側壁と一対の対向する終端壁を有し、前記ライナー保持フレームより上において前記ペイントトレー基部の最上部上に適合するように寸法決めされるカバー保持フレームであって、カバー保持フレームの壁がペイントトレーカバーをそれらの間の適切な位置に安全に固定するために前記ペイントトレー基部の対応する壁の最上端を受け入れるための溝を形成するために最上端において接続される内側の壁と外側の壁を含む、カバー保持フレーム
を備えている、使い捨てライナーシステムを有するペイントトレー。
【請求項２１】
前記ペイントトレーライナーが前記ペイントトレー基部と前記ライナー保持フレームの間の適切な位置に保持されることを可能にするように、前記ペイントトレー基部の内部表面を覆って前記ペイントトレー基部の壁を越えて伸びるように寸法決めされるペイントトレーライナーと、
ペイントトレーカバーが前記ペイントトレー基部と前記カバー保持フレームの間の適切な位置に保持されることを可能にするように、前記ペイントトレー基部とこれに係合される前記ライナー保持フレームを覆うように寸法決めされるペイントトレーカバー
をさらに備えている、請求項２０に記載の使い捨てライナーシステムを有するペイントトレー。
【発明の詳細な説明】
【技術分野】
【０００１】
本発明は、表面への塗料の塗布においてペイントローラーと共にする使用のためのペイントトレーの分野に関し、特に使い捨てのライナーを有するペイントトレーに関する。
【背景技術】
【０００２】
ペイントトレーは、ペイントローラーが表面への塗布のために塗料が均一に乗せられる（loaded）ことを可能にするために、塗装産業において従来使用されている。ペイントトレーは、通常は一つの終端における深いウェル（well）と、ウェルに導くリッジを有し（ridged）傾斜した部分を有する長方形である。ウェルは、ローラーに均一に塗料を分散させるために、ローラーのための塗料を、リッジを有し傾斜した部分に浸からせ、その上において延ばされるように保持する。使用後にペイントトレーは、その後の塗装計画の品質を落とすことを避けるために、未使用の塗料を除去するように清掃されなければならない。しかし、ペイントトレーを清掃することは、部分的には殆どの商業的ペイントトレーにおいて見受けられるリッジ（ridge）に起因して、達成することが面倒かつ困難であり得る。
【０００３】
ペイントトレーの清掃を促進するために、堅固なペイントトレーに適合する成型された使い捨てペイントトレーライナーが開発された。この解決法は堅固なペイントトレーの再使用を可能にするが、これらの薄いプラスチックの成型されたトレーライナーはしばしば堅固なペイントトレーに良好には適合しない。さらに、ライナーの予め形成された形状は、ライナーを堅固なペイントトレーに適合させることを試みるときにしばしば曲がってねじられる。これらの屈曲は、塗料が堅固なペイントトレーに漏れることを可能にし、あるいは余剰の塗料をペイントローラーから除去することをより困難にし得る。米国特許公報番号２００９／００５０６３２は、ペイントトレーの内側の面に一致する予め形成されたプラスチックペイントトレーライナーを含む、そのようなペイントトレーシステムの例を説明する。ライナーは、トレーの山（land）の上に伸びる周辺ライナーリップと、ライナーを適切な位置に保持するためのトレーの四つの角の合わせ釘を受け入れるための四つの角の穴により、ペイントトレー内の適切な位置に保持される。
【０００４】
これらのペイントトレーライナーの成型され予め形成された（pre-formed）設計は、製造に費用がかさみ得て単回の使用目的のためには非常に高価であり得る。結果として、廃棄の前の複数回の使用のためにペイントトレーライナーを清掃及び再使用する試みが使用者によって共通に行われ、これによりペイントトレーライナーを使用する目的を無にする。
【０００５】
他の解決法は、二次汚染を防ぐために堅固なペイントトレーの最上部の上にプラスチックラップ又はホイルを包むことを含む。これらの方法は作用し得て比較的高価でないが、それらは準備に時間が掛かり廃棄することが面倒であり得る。
【０００６】
米国特許公開番号２０１４／０２６０１０５は準備を促進するためのバッグ内に形成されるペイントトレーライナーを説明する。米国特許公開番号２０１４／０１９７１７３は、カバーの周囲に縫われる伸縮性のある帯により、ペイントトレーの上において適切な位置に保持されるペイントトレーライナーカバーを説明する。他のペイントトレーライナーは、使用中に適切な位置にペイントトレーライナーを保持するための接着剤と共に開発された。例えば、米国特許公開番号２００７／０２４６４７４，２００６／００３７９６０及び２００４／０１１２９０２である。これらの特別に設計されるライナーは、予め形成され成型されるペイントトレーライナーより高価でないが、単回の使用のためには依然高価であり得る。その上、これらのライナーはペイントトレーに適合することが困難であって時間が掛かり得る。
【０００７】
見られ得るように、堅固なペイントトレーの機能に干渉することなく、堅固なペイントトレー上に適切に適合され得て、容易に除去及び廃棄され得る、高価でなく適用が容易である使い捨てのペイントトレーライナーを有するペイントトレーについて、継続的な必要が存在する。
【０００８】
本発明に潜在的な関連があると出願人により信じられる既知の情報を作成する目的のために、背景情報が提供される。先行する情報のいずれかが本発明に対する先行技術を構成することの承認は必ずしも意図されず、又は構築されるべきでない。
【発明の概要】
【課題を解決するための手段】
【０００９】
本明細書において開示されるものは、使い捨てライナーシステムを有するペイントトレーに関する例示的な実施形態である。本発明の一つの態様によれば、ペイントトレー基部に受け入れられる塗料を包含しかつ分配するための内部表面を規定するフロアと一対の対向する側壁と一対の対向する終端壁を有するペイントトレー基部であって壁の外部表面からペイントトレー基部の周辺の周りに伸びるバンパーを有するペイントトレー基部と、それらの間の適切な位置にペイントトレーライナーを安全に固定するためにペイントトレー基部とスライドして係合するように寸法決めされる一対の対向する終端壁と一対の対向する側壁を有するライナー保持フレームであってペイントトレーライナーはペイントトレー基部の内部表面を覆うように適切な位置に保持されるライナー保持フレームを備えている使い捨てライナーシステムを有するペイントトレーが説明される。
【００１０】
特定の例示的な実施形態によれば、本明細書において説明される使い捨てライナーシステムを有するペイントトレーは、ペイントトレーライナーが前記ペイントトレー基部と前記ライナー保持フレームの間の適切な位置に保持されることを可能にするように、ペイントトレー基部の内部表面を覆いペイントトレー基部の壁を越えて伸びるように寸法決めされるペイントトレーライナーをさらに備えている。
【００１１】
別の態様によれば、ペイントトレー基部に受け入れられる塗料を包含しかつ分配するための内部表面を規定するフロアと一対の対向する側壁と一対の対向する終端壁を有するペイントトレー基部であって前記壁の外部表面からペイントトレー基部の周辺の周りに伸びるバンパーを有するペイントトレー基部と、ペイントトレー基部上にスライドして適合して前記バンパーに係合するように寸法決めされる一対の対向する終端壁と一対の対向する側壁を有するライナー保持フレームであって前記ライナー保持フレームの前記バンパーとの係合はそれらの間の適切な位置にペイントトレーライナーを安全に固定しペイントトレーライナーはペイントトレー基部の内部表面を覆うために適切な位置に保持されるライナー保持フレームを備えている、使い捨てライナーシステムを有するペイントトレーが説明される。
【００１２】
特定の例示的な実施形態によれば、本明細書において説明される使い捨てライナーシステムを有するペイントトレーは、ペイントトレーライナーが前記ペイントトレー基部と前記ライナー保持フレームの間の適切な位置に保持されることを可能にするように、ペイントトレー基部の内部表面を覆いペイントトレー基部の壁を越えて伸びるように寸法決めされるペイントトレーライナーをさらに備えている。
【００１３】
別の態様によれば、ペイントトレー基部に受け入れられる塗料を包含しかつ分配するための内部表面を規定するフロアと一対の対向する側壁と一対の対向する終端壁を有するペイントトレー基部であって前記壁の外部表面からペイントトレー基部の周辺の周りに伸びるバンパーを有するペイントトレー基部と、ペイントトレー基部上にスライドして適合して前記バンパーに係合するように寸法決めされる一対の対向する終端壁と一対の対向する側壁を有するライナー保持フレームであって前記ライナー保持フレームの前記バンパーとの係合はそれらの間の適切な位置にペイントトレーライナーを安全に固定するライナー保持フレームと、一対の対向する側壁と一対の対向する終端壁を有しライナー保持フレームより上においてペイントトレー基部の最上部上に適合するように寸法決めされるカバー保持フレームであって、カバー保持フレームの壁がペイントトレーカバーをそれらの間の適切な位置に安全に固定するためにペイントトレー基部の対応する壁の最上端を受け入れるための溝を形成するために最上端において接続される内側の壁と外側の壁を含むカバー保持フレームを備えている、使い捨てライナーシステムを有するペイントトレーが説明される。
【００１４】
特定の例示的な実施形態によれば、使い捨てライナーシステムを有するペイントトレーは、ペイントトレーライナーが前記ペイントトレー基部と前記ライナー保持フレームの間の適切な位置に保持されることを可能にするようにペイントトレー基部の内部表面を覆ってペイントトレー基部の壁を越えて伸びるように寸法決めされるペイントトレーライナーと、ペイントトレーカバーが前記ペイントトレー基部と前記カバー保持フレームの間の適切な位置に保持されることを可能にするようにペイントトレー基部とこれに係合されるライナー保持フレームを覆うように寸法決めされるペイントトレーカバーをさらに備えている。
【００１５】
本発明のこれらの特徴及び他の特徴は、添付の図面への参照が行われる以下の詳細な説明においてより明らかになるであろう。
【発明を実施するための形態】
【００１６】
（発明の詳細な説明）
本明細書において説明される実施形態によるペイントトレーシステムは、それらの間の使い捨てペイントトレーライナーを固定するために共に接続される二つの分離可能な構成要素を備えている。この方法により、ペイントトレーライナーはペイントトレーの内部表面上に重ね合わされ、ペイントトレーの内部表面がローラー上への塗布のためにペイントトレーに与えられる塗料からペイントトレーの内部表面を保護するための障壁を作り出す位置に安全に固定され得る。使用のときには、ペイントトレーシステムの接続される構成要素は、ライナーがペイントトレーから移動し又はずれることを防ぐ。使用後に、二つの構成要素は、その後取り外され得るライナーを解放するために容易に分離され得る。使用されない塗料は再使用のためにライナーから容易に収集され得て、ライナー自体は廃棄される。
【００１７】
実施形態によれば、ペイントトレーライナーは実質的に塗料に対して不浸透性である柔軟なシートである。柔軟なシートであることは、ライナーのペイントトレーへの貼付を単純化する。ライナーは単にペイントトレーの内部表面上に重ね合わされることを必要とし、その後ライナーの柔軟な性質はライナーが自然にペイントトレーの形状に一致することを可能にする。シートタイプライナーの周縁はライナーの中央に任意の余りの塗料を貯めるために一緒に集められ、廃棄のためにペイントトレーの中から単純に取り除かれ得るため、ライナーの柔軟な性質は使用後の清掃をさらに促進する。
【００１８】
ペイントトレーシステムの分離可能な構成要素は、ペイントトレー基部と、対応した形状を有するライナー保持フレームを備えている。ライナー保持フレームは、ペイントトレーライナーをそれらの間に安全に保持するために、ペイントトレー基部に係合するように基部に適合するように寸法決めされる。特定の実施形態によれば、ペイントトレー基部は基部の外壁から伸びるバンパーを備えている。バンパーは、特定の実施形態によれば、ペイントトレー基部とライナー保持フレームの間に安全にライナーを保持するために、バンパーの最上部の上に適合するように寸法決めされるライナー保持フレームと係合する。他の実施形態によれば、ライナー保持フレームはライナーをその中に安全に保持するために、ペイントトレーの壁の最上縁を受け入れるように寸法決めされる周辺の溝を有して構成される。
【００１９】
さらなる実施形態によれば、本明細書において説明されるペイントトレーシステムは、塗料が使用の間において乾燥することを防ぐように、必要とされるときに容易に貼付及び除去され得るカバーと使い捨てライナーシステムの両方を有するように適応され得る。ペイントトレーカバーは、それらの間であってペイントトレーの開口部の最上部の上にカバーシートを安全に保持するためにペイントトレー基部と係合するカバー保持フレームを備えている。
【００２０】
（定義）
別に定義されない限り、本明細書において使用される全ての技術的及び科学的用語は、本発明が属する技術における一人の当業者により共通に理解されるものと同一の意味を有する。
【００２１】
本明細書において使用されるように、「約」の語は所与の値から凡そ＋／−１０％の変化を指す。そのような変化は、特別に言及されるか否かを問わず、本明細書において与えられる任意の所与の値に常に含まれることが理解されるべきである。
【００２２】
本開示の実施形態は今図面への参照により説明され、図面は本開示の使い捨てライナーシステムを有するペイントトレーの例示的な表現を示す。
【００２３】
（ペイントトレーライナーシステム‐ライナー保持フレーム）
本開示の使い捨てライナーシステムを有するペイントトレーは一般に二つの構成要素であるペイントトレー基部４０とライナー保持フレーム２０，１２０を備えており、ライナー保持フレーム２０，１２０はそれらの間にペイントトレーライナー３０を安全に保持するためにペイントトレー基部４０に協働して係合する。図２を参照すると、ペイントトレー基部４０は、ペイントトレー基部４０において受け入れられる塗料を包含して分配するための内部表面を規定するフロアと一対の対向する終端壁と一対の対向する側壁を備えている。本開示の実施形態によれば、ペイントトレー基部４０の内部フロア表面は、終端壁のうちの一つから伸びて対向する終端壁における塗料貯蔵部７０において終結するリッジ６０を有する傾斜する部分を有する。
【００２４】
実施形態によれば、ペイントトレー基部４０は、その中に与えられる塗料を含むためにペイントトレー基部４０の内部表面より上に伸びる壁の最上縁より下でペイントトレー基部の壁の外部表面の周辺の周りに伸びるバンパー５０を備えている。特定の実施形態によれば、ローラーハンドルが使用中にその中に置かれることを可能にするために、ペイントトレー基部の最上縁は、その傾斜した終端におけるノッチ６５をさらに備え得る。バンパー５０は、図示されるように、ペイントトレーライナー３０をそれらの間に安全に保持するためにペイントトレー基部とスライドして係合する、対応するライナー保持フレーム２０，１２０と協働して係合する。
【００２５】
図３を参照すると、特定の実施形態によれば、ライナー保持フレーム２０は、それらの間の適切な位置にペイントトレーライナー３０を安全に固定する（図４Ａ）ためにペイントトレー基部４０のバンパー５０の最上部の上にスライドして適合するように寸法決めされるフレーム２０を形成する、一対の対向する終端壁２６，２８と一対の対向する側壁２２，２４を備えている。そのような実施形態によれば、図１に図示されるように、ペイントトレーライナー３０は、ペイントトレー基部４０の内部表面全体と基部４０の内壁を覆ってこれらに一致するように、かつライナー３０がペイントトレー基部４０のバンパー５０とライナー保持フレーム２０の間に安全に固定されること（図４Ｂ）を可能にするように、ペイントトレー基部４０の壁の最上縁を越えて十分に伸びるように、ペイントトレー基部４０の内部表面の最上部の上に置かれる。
【００２６】
さらなる実施形態によれば、ライナー保持フレーム１２０はペイントトレー４０の最上縁と係合するように適応され得る。図６に示されるように、そのような実施形態においてライナー保持フレーム１２０の壁１２２，１２４，１２６，１２８は、ペイントトレー基部４０の対応する壁の最上縁を受け入れるための溝１３０を形成する（図７Ａ）ために、最上端において接続される内側の壁と外側の壁を含む。ペイントトレー基部４０の最上縁に取り付けられるとき、ライナー保持フレーム１２０は、保持フレーム１２０とペイントトレー基部４０の間にペイントトレーライナー３０を安全に固定する（図７Ｂ）ための緊密な接続を形成する。
【００２７】
図５に示されるように、そのような実施形態が使用中であるときには、ペイントトレーライナー３０はペイントトレー基部４０の内部表面全体と基部４０の内壁を覆ってこれらに一致し、かつライナー３０がライナー保持フレーム１２０の溝１３０内のペイントトレー基部４０の最上縁とライナー保持フレーム１２０の間に安全に固定されることを可能にするようにペイントトレー基部４０の壁の最上縁を越えて十分に伸びるために、ペイントトレー基部４０の内部表面の最上部の上に置かれる。そのような実施形態によれば、ライナー保持フレーム１２０は、加えられた安定性のためにペイントトレー基部４０のバンパー５０により設けられる延長上にさらに置かれ得る。
【００２８】
そのような実施形態によれば、ライナー保持フレーム１２０は、使用間においてノッチ６５，１５０内に安全に設定され得るローラーのハンドルをさらに収容するために、ペイントトレー基部４０内にノッチ６５に対応するノッチ１５０をさらに備え得る。
【００２９】
ペイントトレーカバー‐カバー保持フレーム
図８及び図９を参照すると、実施形態による使い捨てライナーシステムを有するペイントトレーは、塗料が使用間に乾燥することを防ぐように、必要とされるときには容易に貼付及び除去され得るペイントトレーカバーをさらに備え得る。そのような実施形態によれば、ペイントトレーシステム２００は、ペイントトレー基部４０と、ペイントトレー基部４０の内部表面の最上部の上の位置においてそれらの間にライナーを安全に固定するためにペイントトレー基部４０のバンパー５０と係合するライナー保持フレーム２０を含む。ライナー保持フレーム２０はバンパー５０と係合するように寸法決めされるため、ライナー保持フレーム２０はペイントトレー基部４０の壁に沿ってほぼ中程に位置し、これによりペイントトレー基部４０の開口部の最上部の上の適切な位置にカバーシート３５を安全に固定するために、カバー保持フレーム２２０がペイントトレー基部４０の壁の最上縁に取り付けられることを可能にする。
【００３０】
そのような実施形態によれば、カバー保持フレーム２２０は、図５、図６及び図７を参照して説明されるようなライナー保持フレーム１２０、又は図８及び図９に示されるカバー保持フレーム２２０のいずれかとして相互変更可能に使用され得る。この方法により、単一のシステムがどのように使用され得るかにおいて多用途性を提示する。例えば、図１を参照して説明され図８に示されるように、ペイントトレーライナー３０は、ペイントトレー基部４０の内部表面全体と基部４０の内壁を覆ってこれらに一致し、ライナー３０がライナー保持フレーム２０とペイントトレー基部４０のバンパー５０の間に安全に固定されることを可能にするようにペイントトレー基部４０の壁の最上縁を越えて十分に伸びるように、ペイントトレー基部４０の内部表面の最上部の上に置かれる。ペイントトレーを使用間に覆うために、カバーシート３５はペイントトレーの開口部の最上部の上に同様に置かれ得て、カバー保持フレーム２２０はペイントトレーの壁の最上縁に取り付けられ、カバーシート３５はペイントトレーの壁の最上縁とカバー保持フレームの間の適切な位置において安全に保持される。図５、図６及び図７を参照して説明されるように、カバー保持フレーム２２０の壁１２２，１２４，１２６，１２８は、ペイントトレー基部４０の対応する壁の最上縁を受け入れるための溝２３０を形成するために、最上端において接続される内側の壁と外側の壁を含む。ペイントトレー基部４０の最上縁に取り付けられるとき、カバー保持フレーム２２０は、保持フレーム２２０とペイントトレー基部４０の間において溝２３０内にカバーシート３５を安全に固定する（図７Ｂ）ための緊密な接続を形成する。
【００３１】
ペイントトレーシート‐ペイントトレーライナー及びペイントトレーカバー
本明細書において説明されるペイントトレーシステムと共に使用されるペイントトレーライナー３０とカバーシート３５は柔軟なシート４５（図１０）を備えており、これは実施形態によれば、典型的には水性、油性又は他の合成樹脂塗料（synthetic-based paint）のいずれであるかを問わず、一般に塗料物質に対して不浸透性で塗料物質に反応しない高分子材料から作られる。シート４５の厚さは、幅広い範囲内において変化し得る。特定の実施形態によれば、シート４５の厚さは約１ｍｍから約２ｍｍの間である。さらなる実施形態によれば、シート４５の厚さは約２ｍｍである。より薄いシートは、これにより作業することがより困難であって破損及び断裂をより受けやすい傾向があるため、特定の実施形態は、例えば二枚重ねのライナー３０を共に形成する二枚のシート４５を備え得る。しかし、シート４５の最終的な厚さは、ペイントトレーの形状に自然に一致してトレーのリッジ６０、突起及び他の形状不規則性を露出するシート４５の能力が維持されるようなものである。
【００３２】
ペイントトレーライナー及び／又はカバーとしての柔軟なシート４５の使用は、ライナー及びカバーが変化する寸法のペイントトレーシステムを収容するために制限されない寸法の範囲において作成されることを可能にする。さらに、シート４５の複雑でない設計は、ペイントトレーライナー３０及びカバー３５が相対的に高価でなく作成され得ることを意味し、これにより使用者がそれらが従来のペイントトレーであるかのようにそれらを洗浄するよりむしろ、使用後にライナーを実際に廃棄することを促す。その上、本開示のシステムと共に使用されるライナー３０とカバー３５は、他のペイントトレーライナーとの比較においてより少ない廃棄物を生成する。特定の実施形態によれば、シート４５はさらに生分解性又は堆肥化可能である材料から作られ得る。
【００３３】
本明細書において参照される全ての特許、特許出願、公報及びデータベースエントリは、そのような個々の特許、特許出願、公報及びデータベースエントリが、参照により具体的かつ個別に組み込まれることが示されるかのように、同一の範囲までそれらの全体において参照によりここに具体的に組み込まれる。
【００３４】
本発明は特定の実施形態を参照して説明されたが、その種々の変形は、本発明の精神及び範囲から離れることなく当業者にとって自明である。全てのそのような変形は、一人の当業者にとって自明であるように、添付の特許請求の範囲内に含まれることが意図される。
【図面の簡単な説明】
【００３５】
【図１】本発明の一つの実施形態による使い捨てライナーシステムを有するペイントトレーの分解図である。
【図２】本発明の実施形態によるペイントトレー基部の斜視図である。
【図３】本発明の一つの実施形態による、図１に示されるライナー保持フレームの斜視図である。
【図４Ａ】本発明の一つの実施形態による、それらの間に固定されるライナーを有しない、図２に示されるペイントトレー基部との係合における、図３に示されるライナー保持フレームの斜視図である。
【図４Ｂ】本発明の一つの実施形態による、それらの間に固定されるライナーを有する、図２に示されるペイントトレー基部との係合における、図３に示されるライナー保持フレームの斜視図である。
【図５】本発明のさらなる実施形態による、使い捨てライナーシステムを有するペイントトレーの分解図である。
【図６】本発明の実施形態による、図５に示されるライナー保持フレームの斜視図である。
【図７Ａ】本発明の実施形態による、それらの間に固定されるライナーを有しない、図２に示されるペイントトレー基部との係合における、図６に示されるライナー保持フレームの斜視図である。
【図７Ｂ】本発明の実施形態による、それらの間に固定されるライナーを有する、図２に示されるペイントトレー基部との係合における、図６に示されるライナー保持フレームの斜視図である。
【図８】本発明の実施形態による、カバーシートとカバー保持フレームを備えているペイントトレーカバーをさらに有する、図１に示される使い捨てライナーシステムを有するペイントトレーの分解図である。
【図９】本発明の実施形態による、図８に示されるペイントトレーカバーを有する使い捨てライナーシステムを有するペイントトレーの斜視図である。
【図１０】本発明の実施形態によるペイントトレーシートの斜視図であり、これは本明細書において説明されるようにペイントトレーライナー又はカバーシートとして使用され得る。
【図１】
2017213685.tif 000003
【図２】
2017213685.tif 000004
【図３】
2017213685.tif 000005
【図４Ａ】
2017213685.tif 000006
【図４Ｂ】
2017213685.tif 000007
【図５】
2017213685.tif 000008
【図６】
2017213685.tif 000009
【図７Ａ】
2017213685.tif 000010
【図７Ｂ】
2017213685.tif 000011
【図８】
2017213685.tif 000012
【図９】
2017213685.tif 000013
【図１０】
2017213685.tif 000014
【外国語明細書】
2017213685000001.pdf